(57)【要約】【課題】開閉扉を容易に取り外せる開閉扉の取り付け構造を備えた遊技機を提供すること。【解決手段】前記開閉扉３の上側又は下側の端面１１と重なる重複部７と、前記重複部７に設けられた第１の軸孔９と、前記開閉扉３に設けられ、前記端面１１において開口し、前記第１の軸孔９と同軸である第２の軸孔１３と、少なくとも前記第２の軸孔１３に挿通され、前記第１の軸孔９内へ侵入した第１の位置、及び前記第１の軸孔９から退避した第２の位置との間で移動可能な軸部材１５と、一方の端が前記軸部材１５に連結されるとともに、他方の端が、前記端面１１のうち、前記重複部７と重ならない部分１１Ａにおいて突出する第１の被操作部材１９と、前記軸部材１５又は前記第１の被操作部材１９を、前記第１の位置の方向へ付勢する付勢部材１７と、を備え、前記他方の端が前記端面１１方向へ押し込まれたとき、前記第１の位置にある前記軸部材１５が前記第２の位置に移動することを特徴とする開閉扉の取り付け構造を備えた遊技機。【選択図】図１
2015039539.tif 000002
【特許請求の範囲】
【請求項１】
枠体に対し開閉扉を開閉可能に取り付ける開閉扉の取り付け構造を備えた遊技機であって、
前記枠体の一部であって、前記開閉扉の上側又は下側の端面と重なる重複部と、
前記重複部に設けられた第１の軸孔と、
前記開閉扉に設けられ、前記端面において開口し、前記第１の軸孔と同軸である第２の軸孔と、
少なくとも前記第２の軸孔に挿通され、前記第１の軸孔内へ侵入した第１の位置、及び前記第１の軸孔から退避した第２の位置との間で移動可能な軸部材と、
一方の端が前記軸部材に連結されるとともに、他方の端が、前記端面のうち、前記重複部と重ならない部分において突出する第１の被操作部材と、
前記軸部材又は前記第１の被操作部材を、前記第１の位置の方向へ付勢する付勢部材と、
を備え、
前記他方の端が前記端面方向へ押し込まれたとき、前記第１の位置にある前記軸部材が前記第２の位置に移動することを特徴とする遊技機。
【請求項２】
前記他方の端が前記端面と略面一となったとき、前記軸部材は前記第２の位置にあることを特徴とする請求項１に記載の遊技機。
【請求項３】
一方の端が、前記軸部材のうち、前記端面とは反対側の部分に連結されるとともに、他方の端が、前記開閉扉の内側面において突出する第２の被操作部材を備えることを特徴とする請求項１又は２に記載の遊技機。
【発明の詳細な説明】
【技術分野】
【０００１】
本発明は遊技機に関する。
【背景技術】
【０００２】
パチンコ遊技機等の遊技機は、枠体に取り付けられた開閉扉を有する。この開閉扉は、枠体に対し開閉自在であるとともに、枠体から容易に取り外せる必要がある（特許文献１参照）。
【先行技術文献】
【特許文献】
【０００３】
【特許文献１】特開２０１２−２３２０１１号公報
【発明の概要】
【発明が解決しようとする課題】
【０００４】
開閉扉の取り付け構造としては、図１０〜図１２に示すものが考えられる。枠体１０１は、その上端付近に、遊技機の正面側に張り出す板状の重複部１０７を備えている。重複部１０７には、それを上下方向に貫通する第１の軸孔１０９が設けられている。開閉扉１０３における上側の端面1１１には、第１の軸孔１０９と同軸である第２の軸孔１１３が設けられている。
【０００５】
第２の軸孔１１３には、軸部材１１５が挿通されている。第２の軸孔１１３は、開閉扉１０３の下方に向けて、軸部材１１５の長さよりも長く形成されている。そのため、軸部材１１５は、第２の軸孔１１３内において、第２の軸孔１１３の軸方向（上下方向）に沿ってスライド（移動の一実施形態）が可能である。
【０００６】
軸部材１１５は、上方向にスライドしたとき、図１０及び図１１に示すように、その上端１１５Ａが第１の軸孔１０９を通り抜け、重複部１０７よりも上側に突出する。このときの軸部材１１５の位置を第１の位置とする。
【０００７】
また、軸部材１１５は、下方向にスライドしたときは、図１２に示すように、第１の軸孔１０９から退避する。このときの軸部材１１５の位置を第２の位置とする。
第２の軸孔１１３の底面１１３Ａと軸部材１１５との間にはコイルバネから成る付勢部材１１７が設けられている。付勢部材１１７は、軸部材１１５を第１の位置の方向（上方向）に付勢する。そのため、後述する被操作部材１２５を操作しないとき、軸部材１１５は第１の位置にある。
【０００８】
軸部材１１５における下端部には、棒状の部材である被操作部材１２５が連結されている。被操作部材１２５は、開閉扉１０３の内側面の方向に延びている。開閉扉１０３の内部には、被操作部材１２５を収容可能な空間である中空部１２７が形成されている。中空部１２７は、開閉扉１０３の内側面に開口端１２９を備えており、その開口端１２９内に被操作部材１２５が位置する。
【０００９】
開閉扉１０３を取り外すときは、開閉扉１０３を開き、開口端１２９内の被操作部材１２５を下方向に指で押し下げる。すると、軸部材１１５は第１の位置から第２の位置にスライドし、軸部材１１５は第１の軸孔１０９から退避した状態となる。この状態において、開閉扉３を枠体１から取り外すことができる。
【００１０】
しかしながら、図１２に示すように、被操作部材１２５を下方向に指で押し下げるとき、軸部材１１５を矢印Ｒの方向に回転させようとする力が生じる。特に、被操作部材１２５に指をかけ易くするために、被操作部材１２５を横方向に長くする場合があり、この場合、被操作部材１２５において指の力が加わる点が軸部材１１５から離れるため、Ｒ方向の力が大きくなる。
【００１１】
その結果、軸部材１１５の外周面の一部が局所的に第２の軸孔１１３の内壁に強く押し当てられ（いわゆる「こじる」状態となり）、軸部材１１５をスムーズにスライドさせることができず、開閉扉１０３の取り外しが困難となる。
【００１２】
本発明は以上の点に鑑みなされたものであり、開閉扉を容易に取り外せる開閉扉の取り付け構造を備えた遊技機を提供することを目的とする。
【課題を解決するための手段】
【００１３】
本発明の遊技機は、
枠体に対し開閉扉を開閉可能に取り付ける開閉扉の取り付け構造を備えた遊技機であって、前記枠体の一部であって、前記開閉扉の上側又は下側の端面と重なる重複部と、前記重複部に設けられた第１の軸孔と、前記開閉扉に設けられ、前記端面において開口し、前記第１の軸孔と同軸である第２の軸孔と、少なくとも前記第２の軸孔に挿通され、前記第１の軸孔内へ侵入した第１の位置、及び前記第１の軸孔から退避した第２の位置との間で移動可能な軸部材と、一方の端が前記軸部材に連結されるとともに、他方の端が、前記端面のうち、前記重複部と重ならない部分において突出する第１の被操作部材と、前記軸部材又は前記第１の被操作部材を、前記第１の位置の方向へ付勢する付勢部材と、を備え、前記他方の端が前記端面方向へ押し込まれたとき、前記第１の位置にある前記軸部材が前記第２の位置に移動することを特徴とする。
【００１４】
本発明の遊技機によれば、軸部材を第１の位置から第２の位置へスムーズに移動させることができる。その結果、開閉扉を容易に枠体から取り外すことができる。
本発明の遊技機において、例えば、前記他方の端が前記端面と略面一となったとき、前記軸部材は前記第２の位置にあることが好ましい。この場合、前記他方の端を押し込むことで、軸部材を第１の軸孔から確実に退避させることができ、開閉扉を一層容易に取り外すことができる。また、操作者は、開閉扉を取り外そうとするとき、前記他方の端をどこまで押し込めばよいのかを容易に理解できる。
【００１５】
本発明の遊技機において、例えば、一方の端が、前記軸部材のうち、前記端面とは反対側の部分に連結されるとともに、他方の端が、前記開閉扉の内側面において突出する第２の被操作部材を備えることができる。この場合、第１の被操作部材と第２の被操作部材との両方を操作することで、開閉扉を一層容易に取り外すことができる。
【図面の簡単な説明】
【００１６】
【図１】開閉扉の取り付け構造を表す斜視図である。
【図２】開閉扉３が閉じ、軸部材１５が第１の位置にあるとき、開閉扉の取り付け構造を正面側から見た説明図である。
【図３】開閉扉３が閉じ、軸部材１５が第１の位置にあるとき、開閉扉の取り付け構造を側面側から見た説明図である。
【図４】軸部材１５、第１の被操作部材１９、及び第２の被操作部材２５の構成を表す斜視図である。
【図５】軸部材１５、第１の被操作部材１９、及び第２の被操作部材２５の構成を表す、軸部材１５の軸方向から見た説明図である。
【図６】開閉扉３が閉じ、軸部材１５が第２の位置にあるとき、開閉扉の取り付け構造を正面側から見た説明図である。
【図７】軸部材１５、及び第１の被操作部材１９の構成を表す斜視図である。
【図８】開閉扉３が閉じ、軸部材１５が第１の位置にあるとき、開閉扉の取り付け構造を正面側から見た説明図である。
【図９】開閉扉３が閉じ、軸部材１５が第１の位置にあるとき、開閉扉の取り付け構造を側面側から見た説明図である。
【図１０】従来技術における開閉扉の取り付け構造を表す斜視図である。
【図１１】従来技術における開閉扉の取り付け構造を表す側面図である。
【図１２】従来技術における開閉扉の取り付け構造を表す側面図である。
【図１３】別形態の開閉扉の取り付け構造を正面側から見た説明図である。
【発明を実施するための形態】
【００１７】
本発明の実施形態を図面に基き説明する。
＜第１の実施形態＞
１．遊技機及び開閉扉の取り付け構造
図１〜図６に基き、開閉扉の取り付け構造と、その開閉扉の取り付け構造を適用した遊技機の構成を説明する。
【００１８】
枠体１及び開閉扉３は、遊技機の一部である。なお、遊技機は、その他にも通常の遊技機と同様の構成を有しているが、その記載は省略する。
開閉扉３は、枠体１に対し、開閉可能に取り付けられている。枠体１は、その上端付近であって、図１における左側（開閉扉３を取り付ける側）に、遊技機の正面側に張り出す板状の重複部７を備えている。重複部７は、枠体１の一部である。重複部７には、それを上下方向に貫通する第１の軸孔９が設けられている。
【００１９】
開閉扉３における上側の端面１１のうち、図１における右側（枠体１に取り付けられる側）に位置する領域１１Ａは、開閉扉３を枠体１に取り付けたとき、重複部７の下側となる。すなわち、領域１１Ａは、上方から見たとき、重複部７と重なる。開閉扉３には、この領域１１Ａにおいて開口し、第１の軸孔９と同軸である第２の軸孔１３が設けられている。
【００２０】
第２の軸孔１３には、円筒形状の軸部材１５が挿通されている。第２の軸孔１３は、開閉扉３の下方に向けて、軸部材１５の軸長よりも長く形成されている。そのため、軸部材１５は、第２の軸孔１３内において、第２の軸孔１３の軸方向（上下方向）に沿ってスライド可能である。
【００２１】
軸部材１５は、上方向については、後述する第１の被操作部材１９の連結部１９Ｂが、後述する中空部２１の天井面２１Ａに当接する位置までスライド可能である（図２参照）。このとき、図１〜図３に示すように、軸部材１５の上端１５Ａは、第１の軸孔９を通り抜け、重複部７よりも上側に突出する。このときの軸部材１５の位置を第１の位置とする。
【００２２】
また、軸部材１５は、下方向については、軸部材１５の上端１５Ａが第１の軸孔９から退避した位置（図６参照）までスライドすることができる。このときの軸部材１５の位置を第２の位置とする。
【００２３】
第２の軸孔１３の底面１３Ａと軸部材１５との間にはコイルバネから成る付勢部材１７が設けられている。付勢部材１７は、軸部材１５を第１の位置の方向（上方向）に付勢する。そのため、後述する第１の被操作部材１９及び第２の被操作部材２５を操作しないとき、軸部材１５は第１の位置にある。
【００２４】
軸部材１５には、第１の被操作部材１９が連結されている。なお、本明細書における「連結」は、一体の部材において、形状的に区分できる複数の部分間の接続と、別部品の接続との両方を含む。軸部材１５、第１の被操作部材１９、及び後述する第２の被操作部材２５は一体の部材である。
【００２５】
軸部材１５に対する第１の被操作部材１９の位置及び角度は常に一定であり、第１の被操作部材１９は、軸部材１５とともにスライド可能である。開閉扉３が閉じた状態において、遊技機の正面側から見たとき、第１の被操作部材１９は、軸部材１５よりも右側に位置する。
【００２６】
第１の被操作部材１９は、軸部材１５と平行な棒状の先端部１９Ａと、先端部１９Ａの下端を軸部材１５に連結する棒状の連結部１９Ｂとから成る。開閉扉３の内部には、第１の被操作部材１９の一部を収容可能な空間である中空部２１が形成されている。中空部２１は、端面１１のうち、重複部７とは重ならない部分に開口端２３を備えている。開閉扉３が閉じた状態において、遊技機の正面側から見たとき、開口端２３は、第２の軸孔１３よりも、右側に位置する。先端部１９Ａにおける上方の一部は、その開口端２３から、上方向に突出している。
【００２７】
中空部２１は、軸部材１５とともに上下にスライドする第１の被操作部材１９の動作を阻害しないように、上下方向において必要十分な広がりを有する。中空部２１における開口端２３を除く部分の天井面２１Ａは、軸部材１５が第１の位置にあるとき、連結部１９Ｂと当接する（図２参照）。連結部１９Ｂと天井面２１Ａとが当接したとき、軸部材１５はそれ以上、上方向にスライドできない。すなわち、天井面２１Ａは、軸部材１５の上方向へのスライドの上限を決めるストッパとして機能する。
【００２８】
連結部１９Ｂは、軸部材１５のうち、その下端よりも上方であって、第２の軸孔１３に収容された部分に連結している。先端部１９Ａの上端１９Ａ１は、軸部材１５の上端１５Ａよりも高い位置にある。
【００２９】
軸部材１５における下端部には、棒状の部材である第２の被操作部材２５が連結されている。軸部材１５に対する第２の被操作部材２５の位置及び角度は常に一定であり、第２の被操作部材２５は、軸部材１５とともにスライド可能である。
【００３０】
第２の被操作部材２５は、開閉扉３の内側面（開閉扉３を閉じたとき、枠体１に対向する面）の方向に延びている。よって、軸部材１５と第２の被操作部材２５とは、全体としてＬ字型の部材となる。図５に示すように、軸部材１５の軸方向から見たとき、第２の被操作部材２５の軸方向と、連結部１９Ｂの軸方向とは直交する。
【００３１】
開閉扉３の内部には、第２の被操作部材２５を収容可能な空間である中空部２７が形成されている。中空部２７は、開閉扉３の内側面に開口端２９を備えており、その開口端２９内に第２の被操作部材２５が位置する。中空部２７は、軸部材１５のスライドに伴う第２の被操作部材２５の動作を阻害しないように、上下方向において必要十分な広がりを有する。
【００３２】
２．開閉扉３の動作
（２−１）開閉扉３を取り付けた状態
軸部材１５は付勢部材１７によって上方向に付勢されているので、第１の被操作部材１９又は第２の被操作部材２５が操作されない場合、軸部材１５は第１の位置にあり、第１の軸孔９及び第２の軸孔１３に挿通されている（図１〜図３参照）。
【００３３】
この場合、開閉扉３は、枠体１に取り付けられた状態にあり、枠体１から外れることはない。なお、開閉扉３の下端部については、上述した構造で枠体１に取り付けてもよいし、その他の取り付け方法で枠体１に取り付けてもよい。
【００３４】
また、軸部材１５が第１の位置にあるとき、開閉扉３は、軸部材１５を中心として、枠体１に対して回動する（すなわち開閉する）ことができる。
（２−２）開閉扉３を取り外すとき
開閉扉３を図１に示すように開き、端面１１から上方向に突出している先端部１９Ａを指で下方向（端面１１の方向）へ押し込み、先端部１９Ａの上端１９Ａ１を端面１１と面一にする。また、それとともに、第２の被操作部材２５を下方向に指で押し下げる。このとき、軸部材１５は第２の位置にスライドし、軸部材１５の上端１５Ａは第１の軸孔９よりも下側に位置し、軸部材１５は第１の軸孔９から退避した状態となる（図６参照）。この状態において、開閉扉３を枠体１から取り外すことができる。軸部材１５を第１の位置から第２の位置にスライドするとき、付勢部材１７は縮んでゆく。
【００３５】
なお、先端部１９Ａを下方向へ押し込むとき、先端部１９Ａの上端１９Ａ１と端面１１とは、必ずしも面一にならなくてもよい。軸部材１５の上端１５Ａが、第１の軸孔９の下端よりも下側に位置するまで、先端部１９Ａを下方向へ押し込めば足りる。
【００３６】
３．遊技機及び開閉扉の取り付け構造が奏する効果
本実施形態では、軸部材１５を第１の位置から第２の位置にスライドさせるとき、先端部１９Ａを下方へ押し下げる。このとき、軸部材１５には、主として、軸部材１５の軸方向の向きを大きくは変えないまま、軸部材１５を下方向へ移動させようとする力が加わるので、軸部材１５の外周面の一部を第２の軸孔１３の内壁に強く押し付けてしまうようなことは起こり難い。その結果、軸部材１５をスムーズにスライドさせ、開閉扉３を容易に取り外すことができる。
【００３７】
また、本実施形態では、先端部１９Ａの上端１９Ａ１が端面１１と面一となったときに、軸部材１５は第２の位置にあり、開閉扉３が取り外せる状態である。そのため、操作者は、開閉扉３を取り外そうとするとき、上端１９Ａ１をどこまで押し込めばよいのかを容易に理解できる。なお、軸部材１５が第２の位置となるときにおける上端１９Ａ１と端面１１との位置関係は、完全な面一ではなく、上記の効果を奏する範囲内でずれていてもよい。
【００３８】
また、第１の被操作部材１９は、上方から先端部１９Ａを押すことで操作できるので、従来技術の被操作部材１２５（図１２参照）とは異なり、連結部１９Ｂに指をかけることが必須では無く、連結部１９Ｂを短くすることもできる。その場合、先端部１９Ａと軸部材１５との横方向における距離を小さくできるので、先端部１９Ａを押し下げたとき、軸部材１５には、図１２に示すＲ方向の力が一層生じにくい。その結果、軸部材１５を一層スムーズにスライドさせることができる。
【００３９】
また、第１の被操作部材１９は、先端部１９Ａと被操作部２５との両方により操作できる。この場合、先端部１９Ａに加えられる力は、先端部１９Ａのみを操作する場合と比べて相対的に小さくなるので、仮に、連結部１９Ｂが比較的長くても、図１２に示すＲ方向の力は大きくなりにくい。よって、連結部１９Ｂの長さは必ずしも短くする必要はなく、特に限定されない。
＜第２の実施形態＞
１．遊技機及び開閉扉の取り付け構造
本実施形態における開閉扉の取り付け構造を図７〜図９に基き説明する。本実施形態における遊技機及び開閉扉の取り付け構造は基本的には前記第１の実施形態と同様である。ただし、本実施形態では、軸部材１５に、第２の被操作部材２５が連結されていない。また、開閉扉３は、第２の被操作部材２５が存在しないため、中空部２７、及び開口端２９を有していない。
【００４０】
２．開閉扉３の動作
前記第１の実施形態の場合と同様に開閉扉３は動作する。ただし、開閉扉３を取り外すときは、主として第１の被操作部材１９を用いる。すなわち、端面１１から上方向に突出している先端部１９Ａを指で下方向（端面１１の方向）へ押し込み、先端部１９Ａの上端１９Ａ１を端面１１と面一にする。このとき、軸部材１５は第２の位置にスライドし、軸部材１５の上端１５Ａは第１の軸孔９の下端よりも下側に位置し、軸部材１５は第１の軸孔９から退避した状態となる。この状態において、開閉扉３を枠体１から取り外すことができる。
【００４１】
なお、先端部１９Ａを下方向へ押し込むとき、先端部１９Ａの上端１９Ａ１と端面１１とは、必ずしも面一にならなくてもよい。軸部材１５の上端１５Ａが、第１の軸孔９の下端よりも下側に位置するまで、先端部１９Ａを下方向へ押し込めば足りる。
【００４２】
３．遊技機及び開閉扉の取り付け構造が奏する効果
前記第１の実施形態の場合と略同様の効果を奏することができる。また、第２の被操作部材２５、中空部２７、及び開口端２９が存在しないため、開閉扉の取り付け構造を一層簡略化できる。
【００４３】
本実施形態でも、軸部材１５が第２の位置となるときにおける上端１９Ａ１と端面１１との位置関係は、完全な面一ではなく、上記の効果を奏する範囲内でずれていてもよい。
尚、本発明は前記実施の形態になんら限定されるものではなく、本発明を逸脱しない範囲において種々の態様で実施しうることはいうまでもない。
【００４４】
例えば、前記第１の実施形態において、軸部材１５、第１の被操作部材１９、及び第２の被操作部材２５は、一体の部材であってもよいし、複数の部品を組み立てて成るものであってもよい。また、前記第１の実施形態において、軸部材１５、及び第１の被操作部材１９は、一体の部材であってもよいし、複数の部品を組み立てて成るものであってもよい。また、前記第２の実施形態において、軸部材１５、及び第１の被操作部材１９は、一体の部材であってもよいし、複数の部品を組み立てて成るものであってもよい。
【００４５】
また、前記第１、第２の実施形態の開閉扉の取り付け構造は、開閉扉３の下部を枠体１に取り付けるために用いてもよい。この場合、重複部７を枠体１の下端付近に設け、その重複部７を、開閉扉３の下側の端面と重複させることができる。また、前記第１、第２の実施形態の開閉扉の取り付け構造は、開閉扉３の右側を枠体１に取り付けるために用いてもよい。
【００４６】
また、付勢部材１７は、コイルバネ以外のもの（例えば板バネ、ゴム等）であってもよい。
また、連結部１９Ｂの軸方向と、軸部材１５の軸方向とが成す角度は適宜設定でき、例えば、鋭角、直角、鈍角のうちのいずれかとすることができる。
【００４７】
また、先端部１９Ａの軸方向と、軸部材１５の軸方向とは非平行であってもよい。
また、前記第１の実施形態において、第２の被操作部材２５は、軸部材１５における下端部以外の部分（例えば、下端部よりも上側であって、開閉扉３内に位置する部分）に連結していてもよい。
【００４８】
また、前記第１、第２の実施形態において、連結部１９Ｂが軸部材１５に連結する位置は適宜設定でき、例えば、軸部材１５の下端であってもよい。
また、前記第１の実施形態において、軸部材１５の軸方向から見たとき、第２の被操作部材２５の軸方向と、連結部１９Ｂの軸方向とが成す角度は適宜設定でき、例えば、鋭角又は鈍角とすることができる。
【００４９】
また、前記第１、第２の実施形態において、連結部１９Ｂは、先端部１９Ａのうち、下端以外の部分に連結してもよい。
また、前記第１、第２の実施形態において、軸部材１５の上方向へのスライドの上限を決めるストッパは、天井面２１Ａ以外のストッパであってもよい。そして、そのストッパに当接する部分は、連結部１９Ｂ以外の部分（例えば、軸部材１５の一部、第２の被操作部材２５の一部等）であってもよい。
【００５０】
また、開閉扉の取り付け構造は、図１３に示すものであってもよい。この形態では、先端部１９Ａのうち、その下端よりも上方に連結部１９Ｂが連結している。また、連結部１９Ｂは、軸部材１５の下端付近において、軸部材１５に連結している。また、付勢部材１７は、先端部１９Ａと中空部２１の底面２１Ｂとの間に設けられている。この付勢部材１７は、先端部１９Ａ、及びそれに連結した軸部材１５を上方向に付勢する。そのため、第１の被操作部材１９を操作しないとき、軸部材１５は第１の位置にある。
【００５１】
この場合、付勢部材１７と、それを押し縮める力が加えられる上端１９Ａ１とが同軸上にあるので、上端１９Ａ１を押圧しても、図１２に示すＲ方向の力は生じない。そのため、軸部材１５をスムーズにスライドさせることができる。
【符号の説明】
【００５２】
１…枠体、３…開閉扉、７…重複部、９…第１の軸孔、１１…端面、１１Ａ…領域、１３…第２の軸孔、１３Ａ…底面、１５…軸部材、１５Ａ…上端、１７…付勢部材、１９…第１の被操作部材、１９Ａ…先端部、１９Ｂ…連結部、２１…中空部、２１Ａ…天井面、２１Ｂ・・・底面、２３…開口端、２５…第２の被操作部材、２７…中空部、２９…開口端
【図１】
2015039539.tif 000003
【図２】
2015039539.tif 000004
【図３】
2015039539.tif 000005
【図４】
2015039539.tif 000006
【図５】
2015039539.tif 000007
【図６】
2015039539.tif 000008
【図７】
2015039539.tif 000009
【図８】
2015039539.tif 000010
【図９】
2015039539.tif 000011
【図１０】
2015039539.tif 000012
【図１１】
2015039539.tif 000013
【図１２】
2015039539.tif 000014
【図１３】
2015039539.tif 000015